(57)【要約】【課題】本発明は、首や脇の下といった特定部位について、確実かつ同時に冷却又は保温することができる熱媒体装着具及び身体装着用熱媒体を提供する。【解決手段】熱媒体１を取り出し可能に収納する軟質材料からなる複数の容器２と、これらの容器２を縦列状に連結する連結ベルト３と、複数の容器２のいずれか１つを他の容器２を区別する識別部４と、を備え、これら容器２及び連結ベルト３は、少なくともいずれか１つが連結方向に伸縮可能に構成され、全体として環状をなすように互いに連結されることを特徴とする。【選択図】図１
2015211774.tif 000002
【特許請求の範囲】
【請求項１】
熱媒体を取り出し可能に収納する軟質材料からなる複数の容器と、
これらの容器を縦列状に連結する連結ベルトと、
前記複数の容器のいずれか１つを他の容器を区別する識別部と、を備え、
前記容器及び連結ベルトは、少なくとも１つが連結方向に伸縮可能に構成され、全体として環状をなすように互いに連結されることを特徴とする熱媒体装着具。
【請求項２】
前記容器のいずれか１つは首の背面に接触し、前記容器のいずれか他の１つは脇の下に接触するように前記容器および連結ベルトの長さが設定されたことを特徴とする請求項１に記載の熱媒体装着具。
【請求項３】
前記複数の容器は繊維状材料によって袋体に形成されることを特徴とする請求項１又は２のいずれか一項に記載の熱媒体装着具。
【請求項４】
前記複数の容器の１つには熱媒体を挿入、取り出すための開口部が複数形成され、他の容器には、前記開口部が単数形成されることを特徴とする請求項１〜３のいずれか一項に記載の熱媒体装着具。
【請求項５】
前記単数形成された開口部は容器の端部に形成されており、身体に装着した場合に該身体の上方側に配置されることを特徴とする請求項４に記載の熱媒体装着具。
【請求項６】
前記開口部はその開口縁部が互いに重なるように配置されることを特徴とする請求項４又は５のいずれか一項に記載の熱媒体装着具。
【請求項７】
前記開口部は前記複数の容器の同じ側の面に形成されることを特徴とする請求項１〜６のいずれか一項に記載の熱媒体装着具。
【請求項８】
前記識別部として、前記複数の容器の１つを他の容器と異なる色とすることを特徴とする請求項１〜７のいずれか一項に記載の熱媒体装着具。
【請求項９】
前記識別部として、複数の容器の１つを他の容器と異なる長さとすることを特徴とする請求項１〜８のいずれか一項に記載の熱媒体装着具。
【請求項１０】
前記容器または連結ベルトは伸縮可能に設けられていることを特徴とする請求項１〜９のいずれか一項に記載の熱媒体装着具。
【請求項１１】
前記容器は袋体が区分された複数の小容器により構成されることを特徴とする請求項１〜１０のいずれか一項に記載の熱媒体装着具。
【請求項１２】
前記連結ベルトの一部、または、前記容器と連結ベルトとの連結部が切り離し可能な構造とされることを特徴とする請求項１〜１１のいずれか一項に記載の熱媒体装着具。
【請求項１３】
請求項１〜１２のいずれか一項に記載の容器に熱媒体が収容された密閉容器が収容されたことを特徴とする身体装着用熱媒体。
【発明の詳細な説明】
【技術分野】
【０００１】
本発明は、身体に容易に装着又は取り外し可能で、首、脇という体温調節に有効な局部を効率良く冷却・保温することができる熱媒体装着具及び身体装着用熱媒体に関する。
【背景技術】
【０００２】
この種の技術として特許文献１の「保温・保冷具」が提示されている。
特許文献１に示される「保温・保冷具」は、筒状の胴部の両端を封止部によって封止した密閉容器と、該密閉容器内に充填される熱媒体とを有し、該密閉容器の胴部は、全長に亘って又は部分的に蛇腹状に形成されかつ全体として可撓性を有するように形成されるものである。
【先行技術文献】
【特許文献】
【０００３】
【特許文献１】特開２０１３−１８８４４６号公報
【発明の概要】
【発明が解決しようとする課題】
【０００４】
ところで、特許文献１に示される保温・保冷具は、主に身体における首の後側に位置させるものであり、猛暑の場合には、例えば、首以外の脇の下という部位の冷却にも使用したい場合がある。
しかしながら、特許文献１に示される保温・保冷具では、装着される部位によっては位置決めが困難であり、例えば、首と脇の下を同時に冷却するには別々の保冷具が必要であり、この装着の容易さについての改良が期待されていた。
【０００５】
この発明は、上述した事情に鑑みてなされたものであって、首以外の脇の下といった特定部位について、確実かつ同時に冷却又は保温することができる熱媒体装着具及び身体装着用熱媒体を提供するものである。
【課題を解決するための手段】
【０００６】
上記課題を解決するために、この発明は以下の手段を提案している。
本発明は、熱媒体を取り出し可能に収納する軟質材料からなる複数の容器と、これらの容器を縦列状に連結する連結ベルトと、前記複数の容器のいずれか１つを他の容器を区別する識別部と、を備え、前記容器及び連結ベルトは、少なくともいずれか１つが連結方向に伸縮可能に構成され、全体として環状をなすように互いに連結されることを特徴とする。
【発明の効果】
【０００７】
本発明によれば、熱媒体を取り出し可能に収納する軟質材料からなる複数の容器を連結ベルトにより縦列状に連結し、これら容器及び連結ベルトを、少なくともいずれか１つが連結方向に伸縮可能に構成するとともに全体として環状をなす構成であるので、これら容器及び連結ベルトを少なくともいずれかを引っ張り伸長させることにより、身体に装着することができる。
このとき、複数の容器のいずれかを首の背面に接触させ、該容器のいずれかを脇の下に接触させるように身体に位置決めかつ装着することにより、該容器内の熱媒体を通じて、身体の各部を同時に冷やす又は温めることができ、気温の変動に対応した身体の不具合発生（夏バテ、熱中症／体温低下）を防止することができる。
【０００８】
また、複数の容器のいずれか１つを他の容器と区別する識別部が設けられている。例えば、識別部として、容器の１つに熱媒体を挿入、取り出すための開口部を複数形成する（他の容器は開口部が単数）、複数の容器の１つを他の容器と異なる色とする、又は複数の容器の１つを他の容器と異なる長さとした目印を設けるなどにより、首に接触させる容器の１つを容易に認識することができ、身体への装着作業を速やかに行うことができる。
また、本発明では、複数の容器を繊維状材料によって袋体に形成する、また、連結ベルトをゴム材料で形成することにより、これら容器及び連結ベルトを連結方向に伸縮可能に構成することができ、これら容器及び連結ベルトを少なくともいずれかを引っ張り伸長させることにより、身体に装着することができる
また、本発明では、容器の開口部は該容器の同じ側の面に形成する、また、該容器に、熱媒体が収容される密閉容器からなる専用の身体装着用熱媒体を挿脱する構成を採用すれば、該容器への効率良い熱媒体の挿入又は取り出しを行うことができる。
【図面の簡単な説明】
【０００９】
【図１】本発明の第１実施形態に係る熱媒体装着具１００の正面図である。
【図２】図１の熱媒体装着具１００を身体に装着した状態を示す図である。
【図３】上記熱媒体装着具１００に身体装着用熱媒体５０を挿脱させる様子を示す図である。
【図４】上記熱媒体装着具１００の開口部１０を示す断面図であって、（ａ）は開口部１０が閉じられた状態を示し、（ｂ）は開口部１０が開けられた状態を示している。
【図５】本発明の第２実施形態に係る熱媒体装着具１０１であって、（ａ）は正面図、（ｂ）は（ａ）のｂ−ｂ線に沿う断面図である。
【図６】第１及び第２実施形態として挙げた熱媒体装着具１００、１０１の変形例を示す正面図である。
【発明を実施するための形態】
【００１０】
（第１実施形態）
図１〜図４を参照して本発明の第１実施形態について説明する。
図１は本発明の第１実施形態に係る熱媒体装着具１００であって、熱媒体１を取り出し可能に収納する軟質材料からなる複数の容器２と、これらの容器２を縦列状に連結する複数の連結ベルト３と、複数の容器２のいずれか１つを他の容器２を区別する識別部４と、を具備している。
これら複数の容器２及び連結ベルト３は、所定長さでかつ少なくともいずれか１つが連結方向となる長さ方向に伸縮可能に構成されており、全体として環状をなすように互いに連結されている。
【００１１】
また、本例の熱媒体装着具１００では、３つの容器２及び３本の連結ベルト３により全体として正三角形状（あるいは二等辺三角形状）に形成され、図２に示されるように、身体に装着した場合、容器２の１つが首の背面に接触し、容器２の他の２つがそれぞれの側の脇下に接触するように位置する。
また、上記熱媒体装着具１００では、容器２は繊維状材料によって袋体５に形成されており、これによって該容器２が長さ方向に伸縮自在となっているが、これに加えて連結ベルト３をゴム材により形成し、これら容器２及び連結ベルト３の双方を伸縮自在としても良い。
【００１２】
上記熱媒体装着具１００に３つある容器２には、図１に示されるように、熱媒体１を挿入、取り出すための開口部１０（１０Ａ〜１０Ｃ）が設けられている。
これら３つの容器２の中の１つの容器２の各端部には、熱媒体１を挿入、取り出すための開口部１０がそれぞれ形成（本例では２つの開口部１０Ａ、１０Ｂが形成）されており、また、他の２つの容器２の一端部には１つだけの開口部１０（１０Ｃ）が形成されている。
【００１３】
なお、２つの開口部１０Ａ、１０Ｂを有する容器２は、身体に装着した場合に首の後側に位置させるようにするが、その位置決めに際して、容器２上の２つの開口部１０Ａ、１０Ｂを（目印とした）識別部４として使用している。
そして、このとき、１つのみ開口部１０Ｃを有する容器２は、その１つの開口部１０Ｃを（目印とした）識別部４として、身体装着時において脇下に位置させるようにする。
【００１４】
容器２に挿脱される熱媒体１としては、スーパーマーケットなどで無料配布される使い捨ての保冷材（一般に液状の熱媒体を樹脂性の袋等に封入した構成となっている）を使用しても良いが、これ以外に、例えば、図３に示されるような専用の身体装着用熱媒体５０を使用しても良い。
この身体装着用熱媒体５０は、筒状の胴部５１Ａの両端を封止した密閉容器５１と、該密閉容器５１内に充填される内蔵熱媒体５２とを有する構成である。密閉容器５１の胴部５１Ａは、全長に亘って又は部分的に蛇腹状に形成されかつ全体として可撓性を有しており、その末端部には、使用者が摘み易いように把持部５３が設けられている。
そして、このような身体装着用熱媒体５０では、全体が可撓性を有する密閉容器５１により構成されているので、開口部１０を通じて容器２内に容易に挿入することができる。
なお、上述した熱媒体１又は装着用熱媒体５０では、予め凍らせることによって、猛暑時において身体の首の後側、及び脇の下を冷却しても良いが、これに限定されず、予め熱しておくことにより、寒冷時において身体の首の後側、及び脇の下を保温しても良い。
【００１５】
各開口部１０（１０Ａ〜１０Ｃ）は、容器２を形成する袋体５の一部が幅方向に開口されたものであり、その開口縁部１１が該容器２の長さ方向に沿って互いに重なるように配置されている。
そして、これら開口部１０は、図４（ａ）及び（ｂ）に示されるように、互いに重なり合った開口縁部１１の外側を持ち上げることによって表に露出され（図４（ｂ）参照）、この露出した開口部１０を通じて熱媒体１が容器２内に挿脱される。
【００１６】
また、図１及び図２に示されるように、１つのみの開口部１０Ｃを端部に有する容器２は、身体装着時において脇下に位置するが、このとき該開口部１０Ｃは、身体の上方側に配置されるように予め位置決めされている。そして、このような開口部１０Ｃの位置設定によって、身体装着時において、内部に挿入した熱媒体１（５０）が該開口部１０Ｃから抜け落ち、落下することが防止される。
一方、２つの開口部１０Ａ、１０Ｂを両端に有する容器２は、身体装着時において首の後側に位置するが、このとき、該容器２０は水平に配置されるので、開口部１０Ａ、１０Ｂから中の熱媒体１（５０）が抜け出ることはない。
【００１７】
以上のように構成された第１実施形態に係る熱媒体装着具１００では、熱媒体１を取り出し可能に収納する軟質材料からなる複数の容器２を連結ベルト３により縦列状に連結し、これら容器２及び連結ベルト３を、少なくともいずれか１つが連結方向に伸縮可能に構成するとともに、全体として環状をなすように連結される構成であるので、これら容器２及び連結ベルト３を少なくともいずれかを引っ張り伸長させることにより、身体に装着することができる。
このとき、複数の容器２のいずれかを首の背面に接触させ、該容器２のいずれかを脇の下に接触させるように身体に位置決めかつ装着することにより、該容器２内の熱媒体１を通じて、身体の各部を同時に冷やす又は温めることができ、気温の変動に対応した身体の不具合発生（夏バテ、熱中症／体温低下）を防止することができる。
【００１８】
また、複数の容器２のいずれか１つを他の容器２と区別する識別部４が設けられている。本例では、識別部４として、容器２の１つに熱媒体１を挿入、取り出すための開口部１０（１０Ａ、１０Ｂ）を２つ形成し（他の容器２は開口部１０が１つ）、２つの開口部１０を識別部４として、首に接触させる容器２の１つを容易に認識することができ、身体への装着作業を速やかに行うことができる。
また、本実施形態では、複数の容器２を繊維状材料（特にメッシュ状に構成して伸縮性および通気性を持たせる構造とすること）によって袋体５に形成する、又は連結ベルト３をゴム材料で形成することにより、これら容器２及び連結ベルト３を連結方向に伸縮可能に構成することができ、これら容器２及び連結ベルト３を少なくともいずれかを引っ張り伸長させることにより、身体に装着することができる。なお、容器２は、内部に熱媒体１が収容されていることから、熱媒体１が凍結状態となっている場合、ほとんど伸縮することができない。したがって、装着の容易さを考慮すると、連結ベルト３を伸縮自在とし、あるいは、連結ベルト３の一部や連結ベルト３と容器２との連結部を着脱可能な構造とすることが望ましい。
また、本実施形態では、熱媒体１として、内蔵熱媒体５２が収容される密閉容器５１からなる専用の身体装着用熱媒体５０を挿脱する構成を採用すれば、該容器への効率良い熱媒体の挿入又は取り出しを行うことができるとともに、身体装着用熱媒体５０を繰り返し使用することで、経済性の運用を行うことができる。
【００１９】
（第２実施形態）
図５及び図６を参照して本発明の第２実施形態について説明する。
第２実施形態に示される熱媒体装着具１０１が、第１実施形態に示される熱媒体装着具１００と異なる点は容器２０及び連結ベルト３０の構成であり、第１実施形態と相違する箇所について以下に説明する。
【００２０】
第２実施形態に示される容器２０には、図５（ａ）及び（ｂ）に示されるように、熱媒体１を挿入、取り出すための開口部２１が設けられている。
図５（ａ）に示されるように、開口部２１は、容器２０を形成する袋体５の長さ方向に形成されており、その開口縁部２２が該容器２０の幅方向に沿って互いに重なるように配置されている。また、開口縁部２２の合わせ面には、図５（ｂ）に示されるようにマジックテープ（登録商標）２３が配置されており、該マジックテープ（登録商標）２３を通じて開口部２１の開閉が可能となっている。
そして、このような開口部２１は、図５（ｂ）に示されるように互いに重なる開口縁部２２の外側を持ち上げ、かつマジックテープ（登録商標）２３を剥がすことによって露出され、この露出した開口部２１を通じて熱媒体１が容器２０内に挿脱される。
なお、容器２０内に挿脱される熱媒体１としては、スーパーマーケットなどで無料配布される使い捨ての保冷氷を使用しても良いが、これ以外に、第１実施形態の図３に示されるような専用の身体装着用熱媒体５０を使用しても良い。
【００２１】
連結ベルト３０の１つにはバックル３１が設けられている。
このバックル３１は、身体に装着した場合に脇下に位置する容器２０間の部分に設けられており、身体にフィットするように連結ベスト３０の長さを調整可能とするものであるが、これに加えて、身体に容易に装着可能とするために、連結ベルト３０を離間又は再連結できるようにしても良い。また連結ベルト３０と容器２０との連結部を離間又は再連結できるようにしても良い。
また、このバックル３１は、身体に装着した場合に背中に位置することから、これを識別部３２として熱媒体装着具１０１を装着することができる。
【００２２】
以上のように構成された第２実施形態に係る熱媒体装着具１０１では、容器２０及び連結ベルト３０を少なくともいずれかを引っ張り伸長させることにより、身体に装着することができる。このとき、第１実施形態と同様、複数の容器２０のいずれかを首の背面に接触させ、該容器２０のいずれかを脇の下に接触させるように身体に装着することにより、該容器２０内の熱媒体１を通じて、身体の各部を冷やす又は温めることができ、気温の変動に対応した身体の不具合発生（夏バテ、熱中症／体温低下）を防止することができる。
また、複数の容器２０のいずれか１つを他の容器２０を区別する識別部３２が設けられている。この第２実施形態では、身体に装着した場合に背中に位置するバックル３１を識別部３２とし、当該識別部３２を目印として、熱媒体装着具１０１を身体に速やかに装着することができる。
【００２３】
なお、上記第１実施形態では開口部１０（１０Ａ〜１０Ｃ）を識別部４とし、第２実施形態ではバックル３１を識別部３２として、首又は脇下にどの容器２、２０を位置させるようにするかを使用者に認識させるようにしている。しかし、これに限定されず、複数の容器２、２０の１つを他の容器２、２０と異なる色とする、又は複数の容器２、２０の１つを他の容器２と異なる長さとすることにより、識別部４、３２を構成しても良い。また、これに限定されず、容器２、２０に直接、「首」「脇下」といった文字表示をしても良いし、これら「首」「脇下」を意識させるマークを記すことで、識別部４、３２を構成しても良い。
【００２４】
また、上記第１実施形態及び第２実施形態に示される容器２、２０はそれぞれが１つの袋体５により構成されているが、これに限定されず、図６に示されるように、各容器２、２０を区分した複数の小容器４０により構成しても良い（本例では、各容器を３つの小容器４０により構成している）。
そして、このような各容器２、２０を複数の小容器４０により構成することにより、熱媒体１として、図３に示されるような専用の身体装着用熱媒体５０ではなく、スーパーマーケットなどで無料配布される小型の保冷材を、該容器２、２０内に（がたつきを発生させず）ぴったりと収納させることができ、これら保冷材の有効利用を図ることができる。
【００２５】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００２６】
本発明は、身体に容易に装着又は取り外し可能で、首、脇の下という特定部位を効率良く冷却・保温することができる熱媒体装着具及び身体装着用熱媒体に関する。
【符号の説明】
【００２７】
１  熱媒体
２  容器
３  連結ベルト
４  識別部
５  袋体
１０（１０Ａ〜１０Ｃ）  開口部
１１  開口縁部
２０  容器
２１  開口部
２２  開口縁部
３０  連結ベルト
３２  識別部
５０  身体装着用媒体
５１  密閉容器
１００  熱媒体装着具
１０１  熱媒体装着具
【図１】
2015211774.tif 000003
【図２】
2015211774.tif 000004
【図３】
2015211774.tif 000005
【図４】
2015211774.tif 000006
【図５】
2015211774.tif 000007
【図６】
2015211774.tif 000008